(57)【要約】      （修正有）【課題】停電等の際でも、簡単に情報シートを入手し、これを参照して機器を操作することのできる便器装置を提供する。【解決手段】便器装置は、ボウル部が形成されると共に側方に開口部２９が形成された便器本体６と、ボウル部の給排水を行う内蔵機器２０と、開口部２９に着脱自在に装着されるサイドカバー４とを備える。サイドカバー４の装着時に内蔵機器２０を隠し、サイドカバー４の非装着時に内蔵機器２０の少なくとも一部を露出させる。そして、サイドカバー４の裏面側に、内蔵機器２０の使用情報が記載された情報シート４４を保持させる。【選択図】図１
2013159910.tif 000002
【特許請求の範囲】
【請求項１】
ボウル部が形成されると共に側方に開口部が形成された便器本体と、前記ボウル部からの排水または前記ボウル部への給水を行うための内蔵機器と、前記開口部に着脱自在に装着されるサイドカバーとを備え、前記サイドカバーの装着時に前記内蔵機器を隠し、前記サイドカバーの非装着時に前記内蔵機器の少なくとも一部を露出させるものであり、前記サイドカバーの裏面側に、前記内蔵機器の使用情報が記載された情報シートを保持する保持構造を設けたことを特徴とする便器装置。
【請求項２】
前記保持構造は、前記情報シートの下縁部を保持する下側保持部と、前記情報シートの上縁部を保持する上側保持部とを有することを特徴とする請求項１に記載の便器装置。
【請求項３】
前記保持構造は、前記情報シートの縁部を弾性的に挟み込むクリップ構造を有することを特徴とする請求項１又は２に記載の便器装置。
【発明の詳細な説明】
【技術分野】
【０００１】
本発明は、各種機器を内蔵した便器装置に関する。
【背景技術】
【０００２】
特許文献１には、ターントラップ機器等の各種機器を内蔵した便器装置が記載されている。この便器装置では、外郭の一部をなすサイドカバーを着脱自在に備え、非常時やメンテナンス時には、このサイドカバーを外してターントラップ機器等を操作できるように設けている。
【先行技術文献】
【特許文献】
【０００３】
【特許文献１】特開２００８−９５４４９号公報
【発明の概要】
【発明が解決しようとする課題】
【０００４】
上述した便器装置では、ターントラップ機器等の内蔵機器を操作しようとするときに、その機器の情報が記載された情報シート（便器装置の取扱説明書等）が見つからない場合がある。特に、ターントラップ式のものにおいては、停電時に排水を行うためにターントラップ機器を手動操作する必要があるのだが、その際に情報シートを探しても、停電環境下では情報シートを見つけることが困難な場合が多い。
【０００５】
本発明は前記問題点に鑑みて発明したものであって、便器装置の内蔵機器を操作する際に、そのための情報を有する情報シートを簡単に入手し、この情報シートを参照して機器操作をすることのできる便器装置を提供することを、課題とする。
【課題を解決するための手段】
【０００６】
前記課題を解決するために、本発明を、ボウル部が形成されると共に側方に開口部が形成された便器本体と、前記ボウル部からの排水または前記ボウル部への給水を行うための内蔵機器と、前記開口部に着脱自在に装着されるサイドカバーとを備え、前記サイドカバーの装着時に前記内蔵機器を隠し、前記サイドカバーの非装着時に前記内蔵機器の少なくとも一部を露出させるものであり、前記サイドカバーの裏面側に、前記内蔵機器の使用情報が記載された情報シートを保持する保持構造を設けたことを特徴とした、便器装置とする。
【０００７】
前記保持構造は、前記情報シートの下縁部を保持する下側保持部と、前記情報シートの上縁部を保持する上側保持部とを有することが好ましい。
【０００８】
また、前記保持構造は、前記情報シートの縁部を弾性的に挟み込むクリップ構造を有することが好ましい。
【発明の効果】
【０００９】
本発明は、サイドカバーを外せばその裏面側に情報シートが保持されているので、内蔵機器を操作する際には、ここに保持される情報シートを参照して簡単に機器操作をすることができるという効果を奏する。
【図面の簡単な説明】
【００１０】
【図１】本発明の一実施形態の便器装置のサイドカバーを外した状態を示す斜視図である。
【図２】同上の便座装置のサイドカバーを装着した状態を示す斜視図である。
【図３】同上のサイドカバーを裏側から視た背面図である。
【図４】図３のＡ−Ａ線断面図である。
【図５】同上の便座装置が備えるターントラップ機器の動作を説明する概略断面図である。
【発明を実施するための形態】
【００１１】
本発明を、添付図面に示す実施形態に基づいて説明する。図１、図２には、本発明の一実施形態の便器装置を示している。図１は、便蓋２を閉じてサイドカバー４を便器本体６から外した状態である。図２は、便蓋２及び便座８を開いて、サイドカバー４は便器本体６に装着した状態である。
【００１２】
便器本体６の外郭は、合成樹脂によって成形されるものであり、ボウル部１０やスカート部１２が形成される前側の第一パーツ１４と、この第一パーツ１４よりも後方に位置する第二パーツ１６とから成る。第二パーツ１６は、ターントラップ機器１８、給水路に設けられたストレーナ、さらにはボウル洗浄機器、局部洗浄機器、脱臭機器等の内蔵機器２０が収納される部分である。これら合成樹脂製の第一及び第二パーツ１４，１６は、金属製のフレーム２２によって支持される。
【００１３】
内蔵機器２０を構成するターントラップ機器１８は、図５に概略的に示すように、トラップケース２４内のトラップ筒２６を回動させることにより排水を行うものである。トラップ筒２６は、蛇腹構造を有するフレキシブルな部材であり、図示略のモータにより回動され、封水姿勢と排水姿勢の間で姿勢変更を行う。トラップ筒２６の図中破線で示す姿勢が、下流端を上方に持ち上げた封水姿勢であり、図中実線で示す姿勢が、下流端を下方に向けた排水姿勢である。このターントラップ機器１８は、停電時に手動でトラップ筒２６を回動させるための手動ハンドル２８を、トラップケース２４の一側面に備えている。内蔵機器２０を構成する他の機器、つまりストレーナ、ボウル洗浄機器、局部洗浄機器、脱臭機器等の各機器については、詳しい説明を省略する。
【００１４】
便器本体６の後部外郭をなす樹脂製の第二パーツ１６は、少なくとも左右一方の側部に開口部２９を形成し、この開口部２９にサイドカバー４を着脱自在に装着している。このサイドカバー４が、内蔵機器２０の一部（本実施形態では、ターントラップ機器１８の手動ハンドル２８が配される部分）を覆い隠すようになっている。サイドカバー４が装着された状態では、手動ハンドル２８はサイドカバー４により覆われて操作不能である。手動ハンドル２８は、この蓋となるサイドカバー４を外すことで、開口部２９を通じて操作可能に露出される。サイドカバー４の表面（即ち、装着時に外側をむく面）には、サイドカバー４を取り外す際に用いる取っ手部３０を、凹状に形成している。
【００１５】
サイドカバー４を装着するための機構は、次の通りである。図３にも示すように、サイドカバー４の裏面（即ち、装着時に内側をむいて隠れる面）には、その外周縁部分の複数個所に面ファスナ３２を固定している。また、サイドカバー４の裏面の上端縁部には、凸状の係止部３４を一体に形成している。一方、便器本体６の開口部２９には、サイドカバー４の面ファスナ３２と対応する位置に面ファスナ３６を固定し、サイドカバー４の係止部３４と対応する位置には、凹状の被係止部３８を一体に形成している。面ファスナ３２と面ファスナ３４は、互いに着脱自在に係止されるものである。係止部３４と被係止部３８とは、互いに着脱自在に嵌合し、サイドカバー４を位置決めするものである。
【００１６】
そして、本実施形態のサイドカバー４の裏面側には、取扱説明書４０を保持させておくことのできる保持構造４２を設けている。この取扱説明書４０は、本実施形態の便器装置の使用マニュアルが記載されたものであり、即ち、便器装置に備えられる各種の内蔵機器２０の使用情報が記載された情報シート４４である。
【００１７】
具体的な保持構造４２は、次の通りである。図３に示すように、サイドカバー４の裏面側には、取扱説明書４０が嵌まり込むようにこの取扱説明書４０よりも若干大きな寸法形状の凹段部４６を形成している。凹段部４６の下端部分には、取扱説明書４０の下縁部を弾性的に挟み込むクリップ構造の下側保持部４８を、左右に一対形成している。凹段部４６の上端部分には、取扱説明書４０の上縁部を弾性的に挟み込むクリップ構造の上側保持部５０を、一つ形成している。
【００１８】
図４には、上側保持部５０のクリップ構造を示している。上側保持部５０のクリップ構造は、凹段部４６の底面から突設される弾性片５２と、この弾性片５２との間で取扱説明書４０を挟み込むために凹段部４６の底面から突設される突起体５４とを有する。弾性片５２は、先端を下方にむけたＬ字状の部材であり、その先端には、凹段部４６の底面側にむけて隆起した突起体５６を有する。凹段部４６の底面の突起体５４は、この突起体５６の上方に位置するように設けている。したがって、弾性片５２と凹段部４６の底面との間のスペースに、取扱説明書４０が側方または下方から挿入されると、弾性片５２が前記スペースを広げるように弾性変形し、取扱説明書４０の上縁部を突起体５４，５６間で挟持する。
【００１９】
下側保持部４８のクリップ構造は、上側保持部５０と同様の弾性片５２や突起体５４を、上下反転させて設けた構造を有する。したがって、下側保持部４８が有する弾性片５２と凹段部４６の底面との間のスペースに、取扱説明書４０が側方または上方から挿入されると、弾性片５２が前記スペースを広げるように弾性変形し、取扱説明書４０の下縁部を突起体５４，５６間で挟持する。なお、下側保持部４８の突起体５４，５６については、図示を省略している。
【００２０】
また、凹段部４６の下端部分には、取扱説明書４０を載せておくためのリブ５８を、左右に一対形成している。これら一対のリブ５８は、一対の下側保持部４８を更に両側方から挟むように配置される。取扱説明書４０は、その下端の両角部が一対のリブ５８上に載置され、その下縁部が一対の下側保持部４８により弾性的に挟持され、その上縁部が上側保持部５０により弾性的に挟持された状態で、凹段部４６内に保持される。ここで保持される取扱説明書４０は、便器装置の全ての操作マニュアルが記載されたものでもよいし、停電時のターントラップ機器１８の操作マニュアルだけを記載した簡易版の説明書であってもよい。
【００２１】
既述のように、停電時の排水においては、サイドカバー４を外してターントラップ機器１８を手動操作する必要がある。これに対して、本実施形態の便器装置では、サイドカバー４を外して手動ハンドル２８を露出させたときに、サイドカバー４の裏面側には取扱説明書４０が保持されている。そのため、停電環境下で取扱説明書４０を探す必要がない。この取扱説明書４０をサイドカバー４から取り外し、必要に応じて明るい場所に運ぶ等してその内容を確認した後、取扱説明書４０に記載されるマニュアル通りに手動ハンドル２８等を操作すれば、停電時にも便座装置を使用することができる。
【００２２】
停電時に排水を行うための基本的なマニュアルとしては、便器本体６からサイドカバー４を外して手動ハンドル２８を露出させ、この手動ハンドル２８を一方向（時計まわり）に回動させる。これにより、トラップケース２４内のトラップ筒２６は封水姿勢から排水姿勢に移行し、図５に示すような排水が行われる。次いで、手動ハンドル２８を逆方向（反時計まわり）に回動させ、トラップ筒２６を排水姿勢から封水姿勢に戻し、バケツ等を用いてボウル部１０内に水を溜めればよい。
【００２３】
なお、本実施形態では、ターントラップ装置１８を覆うサイドカバー４の裏面に保持構造４２を設けているが、他の内蔵機器２０を隠すように着脱自在なサイドカバー４を設け、このサイドカバー４の裏面側に同様の保持構造４２を設けてもよい。この場合も、サイドカバー４を取り外せば裏面側に情報シート４４が保持されているため、情報シート４４のマニュアルを参照して、機器操作を簡単に行うことができる。
【００２４】
以上、説明したように、本実施形態の便器装置は、ボウル部１０が形成されると共に側方に開口部２９が形成された便器本体６と、ボウル部１０からの排水またはボウル部１０への給水を行うための内蔵機器２０と、開口部２９に着脱自在に装着されるサイドカバー４とを備える。このサイドカバー４の装着時に内蔵機器２０を隠し、サイドカバー４の非装着時に内蔵機器２０の少なくとも一部を露出させる。そして、サイドカバー４の裏面側に、内蔵機器２０の使用情報が記載された情報シート４４を保持する保持構造４２を設けている。
【００２５】
したがって、本実施形態の便器装置によれば、内蔵機器２０を操作しようとする際にそのための情報シート４４を探さずとも、取り外したサイドカバー４の裏面側に保持される情報シート４４を参照して、簡単に機器操作をすることができる。特に、停電環境下では情報シート４４を探すことが困難となるが、便器装置自体に情報シート４４が保持されているので、情報シート４４を簡単に参照することができる。
【００２６】
また、保持構造４２は、情報シート４４の下縁部を保持する下側保持部４８と、情報シート４４の上縁部を保持する上側保持部５０とを有している。そのため、情報シート４４を上下両方から安定的に保持することができ、情報シート４４を紛失、破損等することが防止される。
【００２７】
また、保持構造４２は、情報シート４４の縁部を弾性的に挟み込むクリップ構造を有している。そのため、情報シート４４側に面ファスナや取付孔等の特別な構造を設けずとも、簡単に保持させることができ、情報シート４４の取り外し作業も簡単となる。また、厚みの異なる多様な情報シート４４を、そのまま簡単に保持させることができる。
【００２８】
以上、本発明を添付図面に示す実施形態に基づいて説明したが、本発明は前記実施形態に限定されるものではなく、本発明の意図する範囲内であれば、適宜の設計変更を行うことが可能である。例えば、給水路中のストレーナ（給水のための内蔵機器）を隠すように着脱自在なサイドカバーを設け、このサイドカバーの裏面側に、ストレーナの取り外し方法や清掃方法を記載した情報シートを保持させてもよい。
【符号の説明】
【００２９】
４  サイドカバー
１０  ボウル部
１４  第一パーツ
１６  第二パーツ
２０  内蔵機器
４２  保持構造
４４  情報シート
４８  下側保持部
５０  上側保持部
【図１】
2013159910.tif 000003
【図２】
2013159910.tif 000004
【図３】
2013159910.tif 000005
【図４】
2013159910.tif 000006
【図５】
2013159910.tif 000007